(57)【特許請求の範囲】
【請求項１】
対象空間に設置され当該対象空間で行動する複数の人に対しコンテンツ情報を表示する情報提示装置と、
前記対象空間において前記複数の人及び情報提示装置を含む範囲を撮像する撮像装置と、
複数のコンテンツ情報を記憶する情報管理装置と、
前記情報提示装置、撮像装置及び情報管理装置に対し接続される制御装置と
を具備し、
前記制御装置は、
前記撮像装置により撮像された画像データをもとに、前記情報提示装置と前記複数の人との間の距離とその変化をそれぞれ検出する手段と、
前記複数の人の各々に対応するコンテンツ情報を前記情報管理装置から読み出し、この読み出された複数のコンテンツ情報をその表示ウィンドウを一部重ねた状態で前記情報提示装置に表示させる手段と、
前記複数の表示ウィンドウを一部重ねて表示させる際に、前記検出された情報提示装置と前記複数の人との間の距離とその変化に応じて、前記情報提示装置に対し最も近い位置にいる人に対応する表示ウィンドウほど上層側に表示させ、前記情報提示装置から遠い位置にいる人に対応する表示ウィンドウほど下層側に表示させるように前記表示ウィンドウの表示階層を制御する手段と
を備えることを特徴とする情報提示システム。
【請求項２】
前記情報管理装置は、前記コンテンツ情報を構成する詳細度の異なる複数の情報を記憶し、
前記制御装置は、
前記検出された距離とその変化に応じ、前記距離が近づくに従い前記コンテンツ情報の詳細度が高くなるように、当該コンテンツ情報の詳細度を可変設定する手段と、
前記検出された距離とその変化に応じ、前記情報提示装置の表示画面におけるコンテンツ情報の上下方向の表示位置を、距離が近づくに従い上方側から下方側へ移動させるように可変設定する手段と、
前記検出された距離とその変化に応じ、前記情報提示装置の表示画面におけるコンテンツ情報の表示サイズを、距離が近づくに従い大きくなるように可変設定する手段と、
前記撮像装置により撮像された画像データをもとに、前記情報提示装置に対する前記人の左右方向の位置とその変化を検出する手段と、
前記検出された左右方向の位置とその変化に応じ、前記情報提示装置の表示画面におけるコンテンツ情報の左右方向の表示位置を、前記検出された人の左右方向の位置と対応するように可変設定する手段と
を、さらに備え、
前記表示させる手段は、前記可変設定された詳細度に対応する情報を前記情報管理装置から選択的に読み出し、この読み出された情報を、前記可変設定された上下方向の表示位置、左右方向の表示位置及び表示サイズに従い前記情報提示装置に表示させる
ことを特徴とする請求項１記載の情報提示システム。
【請求項３】
対象空間に設置され当該対象空間で行動する複数の人に対しコンテンツ情報を表示する情報提示装置と、前記対象空間において前記複数の人及び情報提示装置を含む範囲を撮像する撮像装置と、複数のコンテンツ情報を記憶する情報管理装置と、前記情報提示装置、撮像装置及び情報管理装置に対し接続される制御装置による情報提示方法において、
前記撮像装置から画像データを取り込み、この画像データをもとに前記情報提示装置と前記複数の人との間の距離とその変化をそれぞれ検出する過程と、
前記複数の人の各々に対応するコンテンツ情報を前記情報管理装置から読み出し、この読み出された複数のコンテンツ情報をその表示ウィンドウを一部重ねた状態で前記情報提示装置に表示させる過程と、
前記複数の表示ウィンドウを一部重ねて表示させる際に、前記検出された情報提示装置と複数の人との間の距離とその変化に応じて、前記情報提示装置に対し最も近い位置にいる人に対応する表示ウィンドウほど上層側に表示させ、前記情報提示装置から遠い位置にいる人に対応する表示ウィンドウほど下層側に表示させるように前記表示ウィンドウの表示階層を制御する過程と
を備えることを特徴とする情報提示方法。
【請求項４】
前記検出された距離とその変化に応じ、前記距離が近づくに従い前記コンテンツ情報の詳細度が高くなるように、当該コンテンツ情報の詳細度を可変設定する過程と、
前記検出された距離とその変化に応じ、前記情報提示装置の表示画面におけるコンテンツ情報の上下方向の表示位置を、距離が近づくに従い上方側から下方側へ移動させるように可変設定する過程と、
前記検出された距離とその変化に応じ、前記情報提示装置の表示画面におけるコンテンツ情報の表示サイズを、距離が近づくに従い大きくなるように可変設定する過程と、
前記撮像装置により撮像された画像データをもとに、前記情報提示装置に対する前記人の左右方向の位置とその変化を検出する過程と、
前記検出された左右方向の位置とその変化に応じ、前記情報提示装置の表示画面におけるコンテンツ情報の左右方向の表示位置を、前記検出された人の左右方向の位置と対応するように可変設定する過程と
を、さらに備え、
前記表示させる過程は、前記可変設定された詳細度に対応する情報を前記情報管理装置から選択的に読み出し、この読み出された情報を、前記可変設定された上下方向の表示位置、左右方向の表示位置及び表示サイズに従い前記情報提示装置に表示させる
ことを特徴とする請求項３記載の情報提示方法。
【請求項５】
前記請求項３又は４記載の情報提示方法を前記制御装置に実行させるプログラム。
【請求項６】
前記請求項３又は４記載の情報提示方法を前記制御装置に実行させるプログラムを記憶する記憶媒体。
【発明の詳細な説明】
【技術分野】
【０００１】
この発明は、例えば対象空間に設置された情報提示装置に広告等のコンテンツ情報を表示させる情報提示システム、情報提示方法、情報提示プログラムとその記憶媒体に関する。
【背景技術】
【０００２】
公共空間における広告手法としては、人通りが多い場所に大きなポスタを掲示するものや、静止画又は動画等により構成される映像コンテンツを大画面ディスプレイに表示させるものが一般的である。しかしながら、これらの手法は不特定多数の多くの人を対象としてできる限り目立つように工夫しているものの、同一場所に同一の情報を掲示又は表示するものであるため、人が広告になれてしまって広告認知率を高く維持することが困難である。
【０００３】
そこで、個人を認証して当該個人宛に個別の広告情報を提示する電子広告システムが提案されている。このシステムであれば、広告閲覧者及び情報提示者の双方にとって有用な情報提示を実現することが可能となる（例えば、特許文献１を参照。）。
【０００４】
【特許文献１】特開２００２−１５０１３０号公報
【発明の開示】
【発明が解決しようとする課題】
【０００５】
ところが、前記従来提案されたシステムは、個人認証が必要となるため、広告閲覧者と情報提示者との間で個人情報に関するコンセンサスがとれていないと、広告閲覧者が個人宛の情報を提示されることに対して不安や不快感を抱いたり、また場合によっては拒絶することがある。
【０００６】
この発明は上記事情に着目してなされたもので、その目的とするところは、個人を対象としながら個人認証を用いずに認識率の高い情報提示を可能にする情報提示システム、情報提示方法、情報提示プログラムとその記憶媒体を提供することにある。
【課題を解決するための手段】
【０００７】
上記目的を達成するためにこの発明の一観点は、対象空間に設置され当該対象空間で行動する複数の人に対しコンテンツ情報を表示する情報提示装置と、上記対象空間において上記複数の人及び情報提示装置を含む範囲を撮像する撮像装置と、複数のコンテンツ情報を記憶する情報管理装置と、上記情報提示装置、撮像装置及び情報管理装置に対し接続される制御装置とを具備するシステムにあって、上記制御装置により、上記撮像装置により撮像された画像データをもとに上記情報提示装置と上記複数の人との位置関係を表す情報として情報提示装置に対する上記各人の距離とその変化をそれぞれ検出する。そして、上記複数の人の各々に対応するコンテンツ情報を上記情報管理装置から読み出し、この読み出された複数のコンテンツ情報をその表示ウィンドウを一部重ねた状態で上記情報提示装置に表示させる。また、この表示ウィンドウを一部重ねて表示する際に、上記検出された情報提示装置に対する各人の距離とその変化に応じて、上記情報提示装置に対し最も近い位置にいる人に対応する表示ウィンドウほど上層側に表示させ、情報提示装置から遠い位置にいる人に対応する表示ウィンドウほど下層側に表示させるように上記表示ウィンドウの表示階層を制御するように構成したものである。
【０００８】
したがって、対象空間に人が進入した場合に、当該人の撮像画像をもとにこの人と情報提示装置との位置関係を表す情報が検出され、この検出情報に基づいて当該人宛の情報が情報提示装置に表示される。すなわち、例えば対象空間を歩行中の通行人個人に対しあたかも当人宛であるかのように情報を提示することが可能となり、これにより個人認証を用いずに個人宛の情報提示が可能となる。
しかも、この発明の一観点によれば、１つの情報提示装置に異なる人に対応する複数のウィンドウを一部重ねて表示する場合に、情報提示装置に対し最も近い位置にいる人に対応するウィンドウほど上層側に表示される。
【０００９】
またこの発明の一観点は、さらに以下のような各種特徴的構成要素を備えることも特徴とする。  
第１の特徴的構成要素は、制御装置により、上記検出された距離とその変化に応じて上記距離が近づくに従い上記コンテンツ情報の詳細度が高くなるように当該コンテンツ情報の詳細度を可変設定し、この可変設定された詳細度に対応する情報を情報管理装置から選択的に読み出して表示させるように制御するものである。
このようにすることで、例えば通行人が情報提示装置から離れた位置にいるときには先ず当該通行人の興味を惹くようなアイキャッチ的な要素の高い情報が表示され、当該通行人が情報提示装置に近づくと上記アイキャッチ的な要素の高い情報に代わり詳細な情報が表示される。このため、常に画一的なコンテンツ情報を表示する場合に比べ、コンテンツ情報に対する通行人の認識率を高めることが可能となる。
【００１０】
第２の特徴的構成要素は、上記検出された距離とその変化に応じ、情報提示装置の表示画面におけるコンテンツ情報の上下方向の表示位置を、距離が近づくに従い上方側から下方側へ移動するように制御するものである。  
このようにすると、例えば通行人が情報提示装置から離れた位置にいるときには情報提示装置の表示画面の上方側にコンテンツ情報が表示され、当該通行人が情報提示装置に近づくとコンテンツ情報の表示位置が情報提示装置の表示画面の下方側に移動する。このため、情報提示装置から遠方にいる通行人にはなるべく見やすい上方位置に情報コンテンツを表示することができ、また当該通行人が情報提示装置に近づいたときには上記コンテンツ情報の表示位置が表示画面の下方位置に移動するので、当該通行人より遠方に存在する他の通行人宛のコンテンツ情報を表示画面の上方側に表示させることが可能となる。すなわち、情報提示装置の表示画面を複数の通行人に対し領域分割して表示させることが可能となる。
【００１１】
第３の特徴的構成要素は、上記検出された距離とその変化に応じ、情報提示装置の表示画面におけるコンテンツ情報の表示サイズを、距離が近づくに従い大きくなるように制御するものである。  
このようにすると、情報提示装置の近くにいる人に対し、コンテンツ情報の詳細な情報をより見やすい状態で表示させることが可能となる。
【００１２】
第４の特徴的構成要素は、撮像装置により撮像された画像データをもとに情報提示装置に対する人の左右方向の位置とその変化を検出する。そして、この検出された左右方向の位置とその変化に応じ、情報提示装置の表示画面におけるコンテンツ情報の左右方向の表示位置を、上記検出された人の左右方向の位置と対応するように制御するものである。  
このようにすると、例えば通行人の移動に伴い、当該通行人宛のコンテンツ情報の表示位置が情報提示装置の表示画面上を移動する。このため、通行人は移動しながら視線を送ることなくコンテンツ情報を視認することが可能となる。特に、通行人の移動方向に複数の表示パネルが並べて配置されている場合に、通行人の移動に伴い当該通行人宛のコンテンツ情報を上記複数の表示パネルに順次移動表示させると、通行人は移動しながら比較的長時間にわたり同一のコンテンツ情報を視認することができるようになるので、情報の認識率を高める上でより一層効果的である。
【発明の効果】
【００１３】
すなわち、この発明によれば、個人を対象としながら個人認証を用いずに認識率の高い情報提示を可能にする情報提示システム、情報提示方法、情報提示プログラムとその記憶媒体を提供することができる。
【発明を実施するための最良の形態】
【００１４】
以下、図面を参照してこの発明に係わる実施形態を説明する。  
図１は、この発明の一実施形態に係わる情報提示システムの概略構成図である。  
この情報提示システムは、廊下にその通行方向に沿って配置された情報提示装置としての複数台のディスプレイＤＰ１〜ＤＰｎと、これらのディスプレイＤＰ１〜ＤＰｎに対応して配置された撮像装置としての複数台のステレオカメラＣＭ１〜ＣＭｎと、上記各ディスプレイＤＰ１〜ＤＰｎ及びステレオカメラＣＭ１〜ＣＭｎに対し例えばＬＡＮ（Local Area Network）等の通信ネットワークＬＮを介して接続される情報提示制御装置ＳＶと、この情報提示制御装置ＳＶに接続される情報管理装置ＭＳとから構成される。なお、図１では図示の簡単のためディスプレイは１台のみ示している。
【００１５】
図９は、上記各ディスプレイＤＰ１〜ＤＰｎ及びステレオカメラＣＭ１〜ＣＭｎの配置構成の一例を示したものである。同図において、廊下にはユーザの進行方向に対し等間隔で５台のディスプレイＤＰ１〜ＤＰ５が配置されている。これらのディスプレイＤＰ１〜ＤＰ５は、表示デバイスとして液晶、プラズマ又は有機ＥＬ等を使用した薄型の表示パネルからなり、後述する情報提示制御装置ＳＶから通信ネットワークＬＮを介して送られたコンテンツ情報を表示する。またディスプレイＤＰ１〜ＤＰ５はそれぞれタッチパネルを備えている。これらのタッチパネルは、上記表示中のコンテンツ情報のより詳細な情報或いは関連情報の表示を要求する際にユーザが操作するもので、その操作情報を通信ネットワークＬＮを介して情報提示制御装置ＳＶへ送信する。
【００１６】
一方、天井又は壁には上記ディスプレイＤＰ１〜ＤＰ５の各々に対応付けてステレオカメラ（図示せず）が配置されている。これらのステレオカメラは、それぞれ上記ディスプレイＤＰ１〜ＤＰ５を含む廊下の幅方向の監視領域（図９では破線にて図示）を撮像し、この撮像した各監視領域の画像データを通信ネットワークＬＮを介して情報提示制御装置ＳＶへ送信する。
【００１７】
情報管理装置ＭＳは、例えば大容量のメモリを備えた蓄積サーバからなり、ユーザに提示すべき広告等の複数のコンテンツ情報を記憶する。これらのコンテンツ情報はそれぞれ詳細度の異なる複数の情報により構成される。詳細度は、例えば４段階で表される。第１段階の情報は、通行人の興味を惹くようなアイキャッチ的な要素の高い情報により構成される。第２段階の情報は画像とコンテンツの概要を伝える文字列により構成され、第３段階の情報はコンテンツの概要を短文で表した文字列により構成される。第４段階の情報は、コンテンツのより詳細な情報或いは関連情報により構成される。
【００１８】
情報提示制御装置ＳＶは、例えばパーソナル・コンピュータ又はサーバ・コンピュータからなり、以下のように構成される。図２はそのハードウエア及びソフトウエアの構成を示す機能ブロック図である。  
すなわち、情報提示制御装置ＳＶは、中央制御ユニット（Central Control Unit；ＣＰＵ）１１を備える。そして、このＣＰＵ１１に、バス１２を介して、プログラムメモリ１３、データメモリ１４、カメラインタフェース（カメラＩ／Ｆ）１５、表示インタフェース（表示Ｉ／Ｆ）１６及び外部記憶インタフェース（外部記憶Ｉ／Ｆ）１７を接続したものとなっている。
【００１９】
カメラＩ／Ｆ１５は、ＣＰＵ１１の制御の下で、各ステレオカメラＣＭ１〜ＣＭｎから送信される画像データを通信ネットワークＬＮを介して受信し、データメモリ１４に記憶させる。表示Ｉ／Ｆ１６は、ＣＰＵ１１の制御の下で、各ディスプレイＤＰ１〜ＤＰｎに対し通信ネットワークＬＮを介してコンテンツ情報を送信する。なお、通信プロトコルとしては、例えばＴＣＰ／ＩＰ（Transmission Control Protocol／Internet Protocol）が使用される。外部記憶Ｉ／Ｆ１７は、ＣＰＵ１１の制御の下で、上記情報管理装置ＭＳから表示対象のコンテンツ情報を読み出す処理と、上記情報管理装置ＭＳに新たなコンテンツ情報やその関連情報等を記憶させる処理を行う。
【００２０】
プログラムメモリ１３には、この発明を実施するために必要なアプリケーション・プログラムとして、人体行動取得制御プログラム１３１と、表示位置・サイズ設定制御プログラム１３２と、詳細度設定制御プログラム１３３と、コンテンツ表示制御プログラム１３４が格納されている。
【００２１】
人体行動取得制御プログラム１３１は、ステレオカメラＣＭ１〜ＣＭｎから送信される画像データを一定の時間間隔で上記カメラＩ／Ｆ１５を介して受信し、この受信した画像データを解析してディスプレイＤＰ１〜ＤＰｎに対する通行人の行動状態を検出する処理を、上記ＣＰＵ１１に実行させる。通行人の行動状態として検出するパラメータには、通行人の有無と、検出された通行人とディスプレイＤＰ１〜ＤＰｎとの間の距離とその変化と、ディスプレイＤＰ１〜ＤＰｎに対する通行人の左右方向の位置とその変化が含まれる。なお、上記各パラメータの検出は、例えば画像に対するパターンマッチング処理と、検出された画像パターン間の距離を画素数により演算する処理が用いられる。
【００２２】
表示位置・サイズ設定制御プログラム１３２は、以下の各処理を上記ＣＰＵ１１に実行させる。  
(1) 上記検出された通行人とディスプレイＤＰ１〜ＤＰｎとの間の距離とその変化に基づいて、各ディスプレイＤＰ１〜ＤＰｎの表示画面上におけるコンテンツ情報の上下方向の表示位置を、距離が近づくに従い上方側から下方側へ移動するように可変設定する処理。  
(2) 上記検出された通行人とディスプレイＤＰ１〜ＤＰｎとの間の距離とその変化に基づいて、上記表示画面にコンテンツ情報を表示するための表示ウィンドウのサイズを、距離が近づくに従い大きくなるように可変設定する処理。  
(3) 上記検出されたディスプレイＤＰ１〜ＤＰｎに対する通行人の左右方向の位置とその変化に基づいて、ディスプレイＤＰ１〜ＤＰｎの表示画面におけるコンテンツ情報の左右方向の表示位置を、上記検出された通行人の左右方向の位置と対応するように可変設定する処理。
【００２３】
詳細度設定制御プログラム１３３は、上記検出された通行人とディスプレイＤＰ１〜ＤＰｎとの間の距離に基づいて、距離が近づくに従い表示させるコンテンツ情報の詳細度が高くなるように当該コンテンツ情報の詳細度を可変設定する処理を、上記ＣＰＵ１１に実行させる。
【００２４】
コンテンツ表示制御プログラム１３４は、以下の処理をＣＰＵ１１に実行させる。  
(1) 上記詳細度設定制御プログラム１３３により可変設定されたコンテンツ情報の詳細度に基づいて、この詳細度に対応する段階の情報を情報管理装置ＭＳから外部記憶Ｉ／Ｆ１７を介して選択的に読み出す処理。  
(2) 上記表示位置・サイズ設定制御プログラム１３２により可変設定された上下方向及び左右方向の表示位置と表示ウィンドウのサイズを指定する情報に基づいて、上記読み出された情報を表示させるための表示データを生成し、この生成した表示データを表示Ｉ／Ｆ１６から表示対象のディスプレイへ送信して表示させる処理。  
(3) 上記表示データを表示中に、そのディスプレイＤＰ１〜ＤＰｎのタッチパネルから第４段階の情報の表示要求が送られた場合に、この要求された情報を情報管理装置ＭＳから外部記憶Ｉ／Ｆ１７を介して選択的に読み出す。そして、この読み出された情報を表示させるための表示データを生成し、この生成した表示データを表示Ｉ／Ｆ１６から表示対象のディスプレイへ送信して表示させる処理。なお、この第４段階の情報を表示させる場合にも、上記表示位置・サイズ設定制御プログラム１３２により可変設定された上下方向及び左右方向の表示位置とウィンドウの表示サイズを表す情報に基づいて表示データが生成される。
【００２５】
データメモリ１４は、例えばＲＡＭからなり、ステレオカメラＣＭ１〜ＣＭｎから送られた画像データを一時保持する機能と、上記各制御プログラム１３１〜１３４に従いＣＰＵ１１が画像解析処理や表示データの生成処理等を行う際の作業用メモリとして機能を有する。
【００２６】
次に、以上のように構成された情報提示システムの動作を、情報提示制御装置ＳＶの制御手順に従い説明する。図３は情報提示制御装置ＳＶの制御手順と制御内容を示すフローチャートである。  
情報提示制御装置ＳＶは、ステップＳ３１において人体行動取得制御プログラム１３１を起動し、例えば一定の周期で各ステレオカメラＣＭ１〜ＣＭｎから画像データを取り込む。この取り込まれた画像データはデータメモリ１４に保存される。続いて情報提示制御装置ＳＶは、ステップＳ３２において、上記取得した各画像データからそれぞれ通行人に該当する画像パターンを検出し、その検出結果をもとにディスプレイＤＰ１〜ＤＰｎの前に通行人が存在するか否かを判定する。この判定の結果、通行人が存在しないと判定されたディスプレイがあった場合には、ステップＳ３７によりコンテンツ表示制御プログラム１３４を起動して、情報管理装置ＭＳから予め定められた風景等の画像コンテンツを読み出す。そして、この読み出した画像コンテンツの表示データを、ステップＳ３８により該当するディスプレイへ送信して表示させる。
【００２７】
一方、上記判定の結果、任意のディスプレイ（例えばＤＰ２）の前の領域で通行人が検出されたとする。この場合情報提示制御装置ＳＶは、ステップＳ３３により再度人体行動取得制御プログラム１３１を起動し、上記データメモリ１４に保存しておいた画像データに対し画像処理を行って、上記検出された通行人とディスプレイＤＰ２との間の距離とその変化、及びディスプレイＤＰ２に対する通行人の左右方向の位置とその変化をそれぞれ検出する。なお、ディスプレイＤＰ２の前の領域において複数の通行人が検出された場合には、これらの通行人ごとに当該通行人とディスプレイＤＰ２との間の距離とその変化、及びディスプレイＤＰ２に対する通行人の左右方向の位置とその変化（移動）をそれぞれ検出する。
【００２８】
続いて情報提示制御装置ＳＶは、詳細度設定制御プログラム１３３を起動する。そして、上記検出された通行人とディスプレイＤＰ２との間の距離に基づいて、距離が近づくに従い表示させるコンテンツ情報の詳細度が高くなるようにコンテンツ情報の詳細度を設定する。
【００２９】
例えば、図６に示すようにディスプレイＤＰ２からの離間距離を３つの領域Ｌ１〜Ｌ３に区切り、ディスプレイＤＰ２から最も遠い領域Ｌ１に存在する通行人Ｃに提示するコンテンツ情報に対しては詳細度Ｆ１に設定する。また、ディスプレイＤＰ２に対し中間距離にある領域Ｌ２に存在する通行人Ｂに提示するコンテンツ情報に対しては詳細度Ｆ２に、さらにディスプレイＤＰ２に対し最も近い領域Ｌ３に存在する通行人Ａに提示するコンテンツ情報に対しては詳細度Ｆ３にそれぞれ設定する。
【００３０】
そして情報提示制御装置ＳＶは、ステップＳ３４においてコンテンツ表示制御プログラム１３４を起動する。そして、通行人に提示すべきコンテンツ情報を構成する複数段階の情報の中から、上記設定された詳細度に対応する情報を選択的に読み出す。例えば、詳細度Ｆ１が設定された場合には、通行人の興味を惹くようなアイキャッチ的な要素の高い第１段階の情報が読み出される。また、詳細度Ｆ２が設定された場合には、画像とコンテンツの概要を伝える文字列により構成される第２段階の情報が読み出され、さらに詳細度Ｆ３が設定された場合にはコンテンツの概要を短文で表した第３段階の文字列情報が読み出される。この読み出された情報はデータメモリ１４に一旦保存される。
【００３１】
次に情報提示制御装置ＳＶは、ステップＳ３５により表示位置・サイズ設定制御プログラム１３２を起動する。そして、上記検出された通行人とディスプレイＤＰ１〜ＤＰｎとの間の距離に基づいて、ディスプレイＤＰ２の表示画面上におけるコンテンツ情報の上下方向の表示位置を設定する。
【００３２】
例えば、図６に示すようにディスプレイＤＰ２から最も遠い領域Ｌ１に存在する通行人Ｃに提示するコンテンツ情報については、図７のＣに示すようにウィンドウの表示位置が表示画面の上方側の位置になるように設定する。また、領域Ｌ２に存在する通行人Ｂに提示するコンテンツ情報については、図７のＢに示すようにウィンドウの表示位置が表示画面の上下方向の中程の位置になるように設定し、さらにディスプレイＤＰ２に対し最も近い領域Ｌ３に存在する通行人Ａに提示するコンテンツ情報については、図７のＡに示すようにウィンドウの表示位置が表示画面の下方側の位置になるように設定する。
【００３３】
さらに情報提示制御装置ＳＶは、表示位置・サイズ設定制御プログラム１３２により、上記検出された通行人とディスプレイＤＰ２との間の距離に基づいて、表示画面にコンテンツ情報を表示するためのウィンドウの表示サイズ（面積）を可変設定する。  
例えば、図６に示すようにディスプレイＤＰ２から最も遠い領域Ｌ１に存在する通行人Ｃに提示するコンテンツ情報については、図７のＣに示すようにウィンドウの表示サイズを小さな値に設定する。また、領域Ｌ２に存在する通行人Ｂに提示するコンテンツ情報については、図７のＢに示すようにウィンドウの表示サイズを中程度の大きさに設定し、さらにディスプレイＤＰ２に対し最も近い領域Ｌ３に存在する通行人Ａに提示するコンテンツ情報については、図７のＡに示すようにウィンドウの表示サイズを最も大きなサイズに設定する。
【００３４】
なお、上記ウィンドウサイズの具体例としては、ディスプレイに対し最も近い位置にいる通行人に対応するウィンドウ面積がディスプレイの全表示領域面積の１／４〜１／３程度となるように設定し、またディスプレイから最も遠い位置にいる通行人に対応するウィンドウ面積がディスプレイの全表示領域面積の１／１６〜１／８程度となるように設定するのが望ましい。
【００３５】
また、１つのディスプレイに異なる通行人に対応する複数のウィンドウを一部重ねて表示する場合には、ディスプレイに対し最も近い位置にいる通行人に対応するウィンドウほど上層側に表示し、ディスプレイから遠い位置にいる通行人に対応するウィンドウほど下層側に表示するように制御される。
【００３６】
さらに情報提示制御装置ＳＶは、表示位置・サイズ設定制御プログラム１３２により、上記検出されたディスプレイＤＰ２に対する通行人の左右方向の位置とその移動に基づいて、ディスプレイＤＰ２の表示画面におけるコンテンツ情報の左右方向の表示位置を可変設定する。
【００３７】
例えば、図４の“１”に示すように、通行人がその移動の過程でディスプレイＤＰ２に対し正面右側に存在するときには、当該通行人に対し提示するコンテンツ情報の表示位置を図５の“１”に示すようにディスプレイＤＰ２の表示画面の右側に表示されるように設定する。また、図４の“２”に示すように、通行人がディスプレイＤＰ２の真正面に存在または移動したときには、当該通行人に対し提示するコンテンツ情報の表示位置を図５の“２”に示すように、ディスプレイＤＰ２の表示画面の中央部に表示されるように設定する。さらに、図４の“３”に示すように通行人がディスプレイＤＰ２の正面左側の位置に存在または移動したときには、当該通行人に対し提示するコンテンツ情報の表示位置を図５の“３”に示すように、ディスプレイＤＰ２の表示画面の中央に表示されるように設定する。
【００３８】
そうしてディスプレイＤＰ２に対するコンテンツ情報の表示位置と表示ウィンドウのサイズが設定されると、情報提示制御装置ＳＶはコンテンツ表示制御プログラム１３４を起動する。そして、上記設定された表示位置と表示ウィンドウのサイズを指定する情報に基づいて、先にステップＳ３４で読み出されてデータメモリ１４に保存されているコンテンツ情報を表示させるための表示データを生成し、この生成した表示データを表示Ｉ／Ｆ１６から表示対象のディスプレイＤＰ２へ送信して表示させる。
【００３９】
そして情報提示制御装置ＳＶは、ステップＳ３６において、最新の画像データをもとに、ディスプレイＤＰ２前に上記通行人がまだ存在するか否かを判定する。そして、まだ存在する場合にはステップＳ３３に戻り、当該通行人に対しステップＳ３３〜Ｓ３６による先に述べた一連のコンテンツ情報表示制御を繰り返し実行する。
【００４０】
かくして、ディスプレイＤＰ２には、その前の領域に通行人が存在する限り、当該通行人のディスプレイＤＰ２からの距離に応じて詳細度が設定されたコンテンツ情報が、上記通行人のディスプレイＤＰ２からの距離と横方向の位置に応じて設定された上下及び左右方向の表示位置と表示ウィンドウのサイズに従い、表示される。
【００４１】
したがって本実施形態によれば、例えば通行人がディスプレイＤＰ２から離れた位置を通りかかると、先ず第１段階として通行人の興味を惹くようなアイキャッチ的な要素の高い詳細度Ｆ１の情報が、図７中のＣに示すようにディスプレイＤＰ２の上寄りでかつ右寄りの位置に小さいウィンドウサイズで表示される。そして、この表示情報に興味を持ったユーザがディスプレイＤＰ２に近づくと、第２段階として画像とコンテンツの概要を伝える文字列により構成される詳細度Ｆ２の情報が、図７中のＢに示すようにディスプレイＤＰ２の中程でかつ左寄りの位置に中程度のウィンドウサイズで表示される。そして、当該通行人がディスプレイＤＰ２にさらに近づくと、第３段階としてコンテンツの概要を短文で表した詳細度Ｆ３に対応する情報が、図７中のＣに示すようにディスプレイＤＰ２の下寄りの位置でかつ中央部に大きなウィンドウサイズで表示される。
【００４２】
すなわち、通行人がディスプレイＤＰ２の前を通りかかると、その時点でディスプレイＤＰ２にコンテンツ情報の表示が開始されるので、通行人はあたかも自分宛にコンテンツ情報が表示されたかのように認識する。そして、興味を持った通行人がディスプレイＤＰ２に近づくに従い、段階的に詳細度の高い情報が大きなウィンドウにより表示されるので、通行人はコンテンツ情報を段階的に無理なく確認することが可能となる。
【００４３】
そして、通行人がディスプレイのタッチパネルにおいて、さらに詳細な情報或いは関連情報の表示を要求するための操作を行うと、当該要求が情報提示装置ＳＶに通知される。情報提示制御装置ＳＶでは、上記要求を受けると第４段階として情報管理装置ＭＳから該当する情報を読み出し、この読み出した詳細情報又は関連情報を表示Ｉ／Ｆ１６からディスプレイＤＰ２に送信する。この結果、ディスプレイには上記詳細情報又は関連情報が表示される。なお、この場合詳細情報又は関連情報を全画面表示させるとよい。したがって、通行人は興味を持ったコンテンツに関する詳細な情報或いは関連する情報をその場で追加取得することが可能となる。
【００４４】
さらに、本発明を応用したシステムの一例として、通行人があるディスプレイの前から隣のディスプレイの前に移動した場合に、移動前のディスプレイに表示していたコンテンツ情報の表示を移動後のディスプレイに引き継ぐようにしてもよい。 
例えば、図８に示すように、通行人がディスプレイＤＰ２の前の領域Ｅ２１〜Ｅ２３からＤＰ３の前に領域Ｅ３１〜Ｅ３３に移動すると、ディスプレイＤＰ３に対応するステレオカメラにより上記通行人が撮像される。情報提示装置ＳＶは、上記ステレオカメラの画像データをもとに、当該通行人とディスプレイＤＰ３との間の距離と左右方向の位置を検出する。そして、この検出された距離に応じて詳細度が設定されたコンテンツ情報を情報管理装置ＭＳから読み出し、上記通行人のディスプレイＤＰ２からの距離と横方向の位置に応じて、ディスプレイの表示画面における上下方向及び左右方向の表示位置と表示ウィンドウのサイズを設定し、この設定した表示位置と表示サイズに基づいて上記読み出したコンテンツ情報の表示データを生成してディスプレイＤＰ３に表示させる。
すなわち、上記応用例は、対象空間で行動する人の移動方向に並べて配置され、当該人に対しコンテンツ情報を表示する複数の情報提示装置と、上記対象空間において上記人及び上記複数の情報提示装置を含む範囲を撮像する撮像装置と、上記コンテンツ情報を記憶する情報管理装置と、上記複数の情報提示装置、撮像装置及び情報管理装置に対し接続される制御装置とを具備するシステムにあって、上記制御装置により、上記撮像装置により撮像された画像データをもとに上記情報提示装置と人との間の距離とその変化を検出すると共に、上記複数の情報提示装置の配列方向に、隣接する情報提示装置間で一部が重なり合うように複数の領域を設定して、上記撮像装置により撮像された画像データをもとに上記人が前記複数の領域のうちの何れの領域に存在するかを検出する。そして、上記検出された距離とその変化に応じて当該人に対応するコンテンツ情報を上記情報管理装置から読み出し、この読み出されたコンテンツ情報を上記検出された領域の位置に応じて当該領域に対応する１つ又は隣接する２つの情報提示装置に表示させるように構成したものである。
上記応用例によれば、人がある情報提示装置の前から隣の情報提示装置の前に移動した場合に、移動前の情報提示装置に表示していたコンテンツ情報の表示を移動後の情報提示装置に引き継ぐことが可能となる。したがって、人の移動に伴いあたかも当該人を待ち受けるように同一のコンテンツ情報が順次表示されることになる。このため、人は立ち止まることなく移動しながらコンテンツ情報を確認することが可能となる。
【００４５】
したがって、各ディスプレイＤＰ２，ＤＰ３，ＤＰ４，…には、通行人の移動に伴いあたかも当該通行人を待ち受けるように同一のコンテンツ情報が順次表示されることになる。このため、通行人は立ち止まることなく移動しながらコンテンツ情報を確認することが可能となる。
【００４６】
また、移動中に通行人が、例えば図９のＰ１，Ｐ２，Ｐ３の移動軌跡に示すように、斜行してディスプレイＤＰ３，ＤＰ４に近づいたとする。この場合情報提示制御装置ＳＶは、ディスプレイＤＰ２の場合と同様に、ディスプレイＤＰ３，ＤＰ４ごとに通行人とディスプレイとの間の距離を検出する。そして、この検出された距離に応じて詳細度が設定されたコンテンツ情報を情報管理装置ＭＳから読み出し、さらに上記距離と横方向の位置に応じてディスプレイの表示画面における上下方向及び左右方向の表示位置とウィンドウの表示サイズを設定し、この設定した表示位置と表示サイズに基づいて上記読み出したコンテンツ情報の表示データを生成してディスプレイＤＰ３，ＤＰ４に表示させる。
【００４７】
したがって、通行人の移動に伴い、ディスプレイＤＰ３，ＤＰ４に表示されるコンテンツ情報の詳細度が順次変化し、かつその表示位置及びウィンドウの表示サイズも変化する。このため、通行人は移動しているにもかかわらず、あたかも１台のディスプレイを立ち止まって見ている場合と同様に、詳細度が段階的に変化するコンテンツ情報の内容を確認することが可能となる。
【００４８】
なお、この発明の応用例は上記したものに限定されるものではない。例えば、前記実施形態では、各ディスプレイＤＰ１〜ＤＰ５を例えば図９に示したようにユーザの進行方向に対し直交する方向を向くように配置した場合を例にとって説明した。その他に、例えば図１０に示すように各ディスプレイＤＰ１′〜ＤＰ５′をユーザの進行方向に対し斜め方向を向くように配置してもよい。このようにすると、ユーザは各ディスプレイＤＰ１′〜ＤＰ５′を真横ではなく斜め正面に見ながら歩行することが可能となり、これにより各ディスプレイＤＰ１′〜ＤＰ５′に表示されるコンテンツ情報をさらに見やすくなって、コンテンツ情報に対するユーザの認識率をさらに高めることが可能となる。
【００４９】
また、ウィンドウサイズ及び表示位置の変化は、線形変化でもまた指数関数的な変化のいずれでもよいが、このうちウィンドウサイズの変化については通行人とディスプレイとの間の距離の変化の二乗に比例するように設定することが望ましい。さらに、ウィンドウの形状は長方形や正方形などの四角形以外に、円形や楕円形、三角形、多角形でもよい。またウィンドウに表示されるコンテンツの文字ポイントは、ウィンドウサイズに比例して線形変化させるように制御するとよい。
【００５０】
さらに、前記実施形態では、人体位置を検出する手段としてステレオカメラＣＭ１〜ＣＭｎの画像データを用いたが、ステレオカメラを使用する以外に、赤外線カメラやミリ波レーダを使用してもよい。このうち、ミリ波レーダを用いる場合には、レーダ送受信機をディスプレイの枠部分等に設けると、ディスプレイから人体までの距離を測定することが可能となり、カメラを使用する場合のような画像処理を不要にできる利点がある。
【００５１】
その他、情報提示システムのシステム構成、情報提示制御装置の構成とその制御手順及び制御内容、撮像装置の種類とその画像データに基づく人体行動を表す情報の検出処理方法、ディスプレイの配置数、コンテンツの詳細度の段階数等についても、この発明の要旨を逸脱しない範囲で種々変形して実施できる。
【００５２】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５３】
【図１】この発明の一実施形態に係わる情報提示システムの概略構成図である。
【図２】図１に示したシステムの情報提示制御装置のハードウエア及びソフトウエアの構成を示す機能ブロック図である。
【図３】図２に示した情報提示制御装置による制御手順と制御内容を示すフローチャートである。
【図４】ディスプレイに対する左右方向への通行人の移動の様子を説明するための図である。
【図５】図４に示した通行人の移動に応じたコンテンツ表示位置の変化を示す図である。
【図６】ディスプレイに対する前後方向への通行人の移動の様子を説明するための図である。
【図７】図６に示した通行人の移動に応じたコンテンツ表示位置と表示サイズの変化を示す図である。
【図８】配列された複数のディスプレイに対する通行人の移動経路の一例を示す図である。
【図９】ディスプレイ及びステレオカメラの配置構成の一例を示した図である。
【図１０】ディスプレイ及びステレオカメラの配置構成の他の例を示した図である。
【符号の説明】
【００５４】
ＳＶ…情報提示制御装置、ＭＳ…情報管理装置、ＤＰ１〜ＤＰｎ…ディスプレイ、ＣＭ１〜ＣＭｎ…ステレオカメラ、ＬＮ…通信ネットワーク、１１…ＣＰＵ、１２…バス、１３…プログラムメモリ、１４…データメモリ、１５…カメラインタフェース（カメラＩ／Ｆ）、１６…表示インタフェース（表示Ｉ／Ｆ）、１７…外部記憶インタフェース（外部記憶Ｉ／Ｆ）、１３１…人体行動取得制御プログラム、１３２…表示位置・サイズ設定制御プログラム、１３３…詳細度設定制御プログラム。
【図１】
0005271612.tif 000002
【図２】
0005271612.tif 000003
【図３】
0005271612.tif 000004
【図４】
0005271612.tif 000005
【図５】
0005271612.tif 000006
【図６】
0005271612.tif 000007
【図７】
0005271612.tif 000008
【図８】
0005271612.tif 000009
【図９】
0005271612.tif 000010
【図１０】
0005271612.tif 000011